(57)【特許請求の範囲】
【請求項１】
番組信号を記録媒体上に記録すると共に、前記記録媒体上に記録中の前記番組信号の記録済部分を再生する番組信号記録再生装置であり、
時刻の経過に合わせて時刻情報を生成する時刻情報生成手段と、
前記時刻情報生成手段が生成する時刻情報あるいは前記番組信号が放送された時点の時刻を示す時刻情報を前記番組信号と共に前記記録媒体上に記録する記録手段と、
番組の頭出し指示を行う頭出し指示入力手段と、
前記頭出し指示入力手段で番組の頭出し指示が行われた際に、前記時刻情報生成手段が生成する現在の時刻情報を取得し、取得した現在の時刻情報が示す現在時刻から過去の時刻である００分あるいは３０分までさかのぼった時刻に記録した番組信号の頭出し再生を行う第１の頭出し再生手段とを備えることを特徴とする番組信号記録再生装置。
【請求項２】
過去から現在までの時間的に連続する番組信号が所定量を限度として常に記録媒体上に記録され、この記録中の番組信号の記録済み部分を再生するキャッシュ再生モードと、
使用者の操作により決定された記録開始タイミングに基づいて前記記録媒体上に記録される番組信号であり、この記録中の番組信号の記録済み部分を再生するタイムシフト再生モードと、
前記頭出し指示入力手段で番組の頭出し指示が行われた際に、前記番組信号の記録開始タイミングから頭出し再生を行う第２の頭出し再生手段とを更に備え、
前記キャッシュ再生モードにおいては、前記第１の頭出し再生手段による頭出し再生を行う一方、前記タイムシフト再生モードにおいては、前記第２の頭出し再生手段による頭出し再生を行うことを特徴とする請求項１記載の番組信号記録再生装置。
【発明の詳細な説明】
【０００１】
【発明の属する技術分野】
本発明は、受信した番組信号をハードディスク等の記録媒体に記録し、これを再生する番組信号記録再生装置に関する。
【０００２】
【従来の技術】
ハードディスクを記録媒体として、番組信号の記録及び再生を行う装置が知られている。このような装置は、ＰＶＲ（Ｐｅｒｓｏｎａｌ  Ｖｉｄｅｏ  Ｒｅｃｏｒｄｅｒ）と呼ばれ、番組信号の記録と再生とを同時に実行できる（実際は、記録動作と再生動作と素早く切り替えて時分割で処理している）。
【０００３】
従って、このＰＶＲを使用した場合、ある番組を録画しながら、ハードディスク上の他の番組を再生する同時記録再生を行ったり、また、ある番組を録画しながら、その記録中の番組の先頭部分あるいは記録済みの所望の部分から再生をするタイムシフト再生を行うこともできる。また、タイムシフト再生に類似する機能として、キャッシュ再生がある。
【０００４】
このキャッシュ再生では、ハードディスクがキャッシュディスクとして使用され、放送中の番組は、所定量を限度として常にこのハードディスクに録画される。そして、少し前のシーンからもう一度再生を行いたいという場合に、キャッシュとして蓄えられている所定量の範囲内においてさかのぼり、好みのシーンから再生が行われる。
【０００５】
【発明が解決しようとする課題】
ところが、以上の如く、タイムシフト再生やキャッシュ再生を行う場合、番組の区切れから再生を行うことが多いにも拘らず、このような番組の区切れを検出する機構が備わっていないため、早送り再生や巻戻し再生を行うことにより番組の区切れを探し出す必要があり、その操作が非常に煩雑であった。
【０００６】
本発明に係る番組信号再生装置は、以上の如く問題を解決するために、タイムシフト再生やキャッシュ再生時に素早く番組の区切れから再生を行うことのできる番組信号記録再生装置を提供することを目的とする。
【０００７】
【課題を解決するための手段】
以上の課題を解決するために、本発明に係る番組信号記録再生装置は、
番組信号を記録媒体（４）上に記録すると共に、前記記録媒体（４）上に記録中の前記番組信号の記録済部分を再生する番組信号記録再生装置であり、
時刻の経過に合わせて時刻情報を生成する時刻情報生成手段（１０）と、
前記時刻情報生成手段（１０）が生成する時刻情報あるいは前記番組信号が放送された時点の時刻を示す時刻情報を前記番組信号と共に前記記録媒体（４）上に記録する記録手段（３）と、
番組の頭出し指示を行う頭出し指示入力手段（１２）と、
前記頭出し指示入力手段（１２）で番組の頭出し指示が行われた際に、前記時刻情報生成手段（１０）が生成する現在の時刻情報を取得し、取得した現在の時刻情報が示す現在時刻から過去の時刻である００分あるいは３０分までさかのぼった時刻に記録した番組信号の頭出し再生を行う第１の頭出し再生手段（３，９）とを備えることを特徴とするものである。
【０００８】
また、本発明に係る番組信号記録再生装置は、
過去から現在までの時間的に連続する番組信号が所定量を限度として常に記録媒体（４）上に記録され、この記録中の番組信号の記録済み部分を再生するキャッシュ再生モードと、
使用者の操作により決定された記録開始タイミングに基づいて前記記録媒体（４）上に記録される番組信号であり、この記録中の番組信号の記録済み部分を再生するタイムシフト再生モードと、
前記頭出し指示入力手段（１２）で番組の頭出し指示が行われた際に、前記番組信号の記録開始タイミングから頭出し再生を行う第２の頭出し再生手段（３、９）とを更に備え、
前記キャッシュ再生モードにおいては、前記第１の頭出し再生手段（３、９）による頭出し再生を行う一方、前記タイムシフト再生モードにおいては、前記第２の頭出し再生手段（３、９）による頭出し再生を行うことを特徴とするものである。
【０００９】
【発明の実施の形態】
図１は、本発明の実施例に係る番組信号記録再生装置の構成を説明するための図であり、同図において、１は記録する番組信号が映像信号及び音声信号の形態で入来し、この番組信号にＭＰＥＧ（Ｍｏｖｉｎｇ  Ｐｉｃｔｕｒｅ  Ｅｘｐｅｒｔｓ  Ｇｒｏｕｐ）方式等の圧縮処理を施して出力する記録信号処理部、２は記録信号処理部１の出力する圧縮された番組信号に後述する付加情報を付したうえで、これを図示しないバッファに格納し、所定のタイミングで出力する記録コントローラ、３は記録コントローラ２から出力された番組信号を記録媒体での記録に適した信号形態に変換して出力したり、記録媒体から再生された番組信号を元の信号形態に変換して出力するメディアマネージャである。
【００１０】
また、４はハードディスクあるいは半導体メモリ等により構成され、メディアマネージャ３からの番組信号の記録再生が行われる記録媒体、５はメディアマネージャ３からの番組信号を図示しないバッファに格納し、所定のタイミングでこれを出力し、更に番組信号に付加されている付加情報を抽出する再生コントローラ、６は再生コントローラ５からの番組信号にＭＰＥＧ方式等の伸長処理を施し、番組信号を映像信号及び音声信号の形態で出力すると共に、この映像信号の同期信号を出力する再生信号処理部である。
【００１１】
また、７は再生信号処理部６の出力する番組信号に適宜オンスクリーン情報を付加して出力するＯＳＤ（Ｏｎ  Ｓｃｒｅｅｎ  Ｄｉｓｐｌａｙ）処理部、８は再生信号処理部６の出力する同期信号が入力され、この同期信号のタイミングに基づきＯＳＤ処理部７を制御する表示コントローラである。
【００１２】
また、９は記録コントローラ２、メディアマネージャ３、再生コントローラ５及び表示コントローラ８の動作を制御すると共に、適宜必要な情報のやりとりを行うシステムコントローラ、１０は日付情報及び現在時刻情報をシステムコントローラ９に供給するシステム時計、１１は番組予約情報が蓄積され、必要に応じてシステムコントローラ９との間で情報のやりとりを行う記録予約マネージャ、１２は使用者の指示をシステムコントローラ９に伝えるキー入力部である。なお、キー入力部１２としては、記録再生装置の本体に設けられるボタンや、装置の外部に設けられるリモコン送信機、あるいはＩＥＥＥ１３９４等のインターフェイスで接続される外部機器等が考えられる。
【００１３】
以下、本発明に係る番組信号記録再生装置の動作を説明する。
まず、番組信号を記録媒体４で記録する際の動作について説明すると、入来する番組信号は、記録信号処理部１においてＭＰＥＧ方式の番組信号に変換され、記録コントローラ２に出力される。
【００１４】
一方、システムコントローラ９には、システム時計１０から日付情報及び時刻の経過に合わせて生成される現在時刻情報が供給されており、システムコントローラ９は、これらの情報を記録コントローラ２に出力する。そして、記録コントローラ２は、記録信号処理部１から出力された番組信号に、システムコントローラ９からの日付情報及び現在時刻情報と内部で生成したフレーム情報とを付加情報として付加し、この付加情報が付加された番組信号が、順次その内部バッファに蓄積される。
【００１５】
なお、ここで、記録コントローラ２は、システムコントローラ９からの変化する現在時刻情報を番組信号に付加し続けなけらばならない訳ではなく、例えば、所定のタイミングで現在時刻情報を付加し、その後は、付加した現在時刻情報からの経過時間のみを付加するようにしても良い。
【００１６】
その後、システムコントローラ９の制御の基に、この内部バッファから番組信号が読み出され、メディアマネージャ３において記録媒体４での記録に適した信号形態に変換される。なお、ここで、記録媒体４としてハードディスクを用いているものとすると、メディアマネージャ３が番組信号をハードディスクでの記録に適したファイル形式のデータへと変換し、このデータが記録媒体４（ハードディスク）上に記録される。
【００１７】
その際、記録媒体４上には、番組信号のみならず、記録コントローラ２で付加した付加情報も記録され、更に、記録媒体４上には、この番組信号の記録アドレスと記録した付加情報とを関連付ける番組関連情報が記録される。なお、ここでは、付加情報及び番組関連情報は、番組信号を記録する記録媒体と同一の記録媒体に記録されるものとして説明するが、番組信号を記録する記録媒体とは別の記録媒体上に記録しても良いことは言うまでもない。
【００１８】
一方、記録媒体４上に記録される番組信号を再生する際は、システムコントローラ９がメディアマネージャ３を制御することにより、記録媒体４から番組関連情報が読み出され、この番組関連情報に基づき、記録媒体４の所定のアドレスから番組信号の読出しが開始される。
【００１９】
そして、読み出された番組信号は、メディアマネージャ３を介して元の信号形態に変換され、再生コントローラ５に出力される。再生コントローラ５では、その内部のバッファに番組信号が一旦格納された上で、読み出され、その後、番組信号に付加されている付加情報が抽出される。
【００２０】
ここで、再生コントローラ５は、番組信号を再生信号処理部６に出力する一方、抽出した付加情報をシステムコントローラ９に出力し、再生信号処理部６は、圧縮されている番組信号にＭＰＥＧ方式の伸長処理を施して得た番組信号をＯＳＤ処理部７に出力すると共に、同期信号を表示コントローラ８に出力する。
【００２１】
そして、システムコントローラ９は、再生コントローラ５からの付加情報を表示コントローラ８に出力し、表示コントローラ８は、再生信号処理部６からの同期信号とシステムコントローラ９からの付加情報に基づき、図２に示す如くオンスクリーン表示が行われるようＯＳＤ処理部７を制御する。
【００２２】
図２は、このように通常再生を行う際に画面上に表示されるオンスクリーン情報を示す図であり、番組全体の時間が（イ）で示す如くバー表示され、このバー上の再生経過時間に対応する位置に再生位置マーク（ロ）が表示される。また、画面左上部には、（ハ）に示す如く番組の先頭からの再生経過時間が数値で表示され、画面右上部には、（ニ）に示す如く番組を記録した日付が表示される。そして、以上のようなオンスクリーン情報が付加された番組信号がＯＳＤ処理部７から出力される。
【００２３】
次に、記録媒体４をキャッシュとして使用するキャッシュＯＮ状態での動作について説明する。キャッシュＯＮ状態とするには、まず、使用者がキャッシュ保持時間をキー入力部１２を介して設定する。つまり、記録媒体４上にどれだけの時間分の番組信号を保持し続けるかを設定する。
【００２４】
なお、このようにキャッシュＯＮ状態とする毎に、使用者がキャッシュ保持時間を設定するのではなく、予め定められた時間分だけ番組信号を保持し続けるようにしても良いことは言うまでもない。また、時間で設定せず、データ容量でキャッシュ量を設定しても良く、また、記録媒体の空き容量を全てキャッシュとして使用するモードを設けても良い。
【００２５】
そして、キャッシュＯＮ状態となると、記録信号処理部１、記録コントローラ２、メディアマネージャ３が前述記録動作と同様に機能し、記録媒体４上には、番組信号に加え、付加情報が記録される。ここで、システムコントローラ９は、メディアマネージャ３を通じて、記録媒体４上にキャッシュされている番組信号の時間を監視し続け、設定されるキャッシュ保持時間分だけ常に最新の番組信号を保持し続ける。従って、このキャッシュ保持時間を経過した番組信号は、記録媒体４から自動的に削除されていく。
【００２６】
そして、システムコントローラ９は、システム時計１０からの現在時刻情報と記録媒体４上にキャッシュされている番組信号の時間情報とを表示コントローラ８に出力し、表示コントローラ８では図３に示す如くオンスクリーン表示が行われるよう表示コントローラ８がＯＳＤ処理部７を制御する。なお、図１に示す構成の場合、記録信号処理部１で圧縮処理された番組信号が記録媒体４で記録されると共に、再生信号処理部６で伸長処理されるが、キャッシュＯＮ状態では、圧縮伸長処理を行っていない番組信号をＯＳＤ処理部７に供給しても良いことは言うまでもない。
【００２７】
図３は、キャッシュＯＮ状態で画面上に表示されるオンスクリーン情報を示す図であり、時刻を目盛としたバーが（ホ）で示す如く表示され、このバー上の現在時刻に対応する位置に録画位置マーク（へ）が表示される。また、記録媒体４上にキャッシュが存在する番組信号の期間は、（ト）で示す如くバーの色が反転表示され、何時以降の番組信号が記録媒体４上にキャッシュされているかを確認することがでる。また、バー上の録画位置マーク（ヘ）とは別に、画面右上部には、（チ）で示す如く現在時刻が表示される。
【００２８】
そして、このキャッシュＯＮ状態において、使用者がキー入力部１２を介して、番組再生をさかのぼるよう、巻戻しの指示を行うとキャッシュ再生状態へと移行する。このキャッシュ再生状態では、記録コントローラ２から出力される付加情報が付された番組信号がメディアマネージャ３を介して記録媒体４に記録されると共に、キャッシュされている番組信号が記録媒体４からメディアマネージャ３を介して再生コントローラ５に出力される。
【００２９】
その際、メディアマネージャ３は、記録コントローラ２からの番組信号を記録媒体４に記録する動作と、記録媒体４から再生される番組信号を再生コントローラ５に出力する動作とを高速で切り替えて時分割処理することになる。従って、システムコントローラ９は、この番組信号の記録のタイミングで記録コントローラ２内のバッファから番組信号の読出しが行われるよう記録コントローラ２及びメディアマネージャ３を制御し、記録を行っていないタイミングで番組信号の再生が行われ、これが再生コントローラ５内のバッファに書き込まれるようメディアマネージャ３及び再生コントローラ５を制御する。
【００３０】
そして、再生コントローラ５は、再生された番組信号から付加情報を抽出し、この付加情報をシステムコントローラ９に出力する。そして、システムコントローラ９は、再生コントローラ５からの付加情報と、システム時計１０からの現在時刻情報とを表示コントローラ８に出力し、表示コントローラ８では図４に示す如くオンスクリーン表示が行われるよう表示コントローラ８がＯＳＤ処理部７を制御する。
【００３１】
図４は、キャッシュ再生状態で画面上に表示されるオンスクリーン情報を示す図であり、時刻を目盛としたバーが（ホ）で示す如く表示され、このバー上の現在時刻に対応する位置に録画位置マーク（へ）が表示される。また、記録媒体４上から再生を行っている番組信号の記録時の時刻に対応する位置に再生位置マーク（ロ）が表示され、記録媒体４上にキャッシュが存在する番組信号の期間は、（ト）で示す如くバーの色が反転表示される。また、バー上の再生位置マーク（ロ）とは別に、画面左上部には、（リ）で示す如く再生を行っている番組信号の記録時の時刻が表示され、画面右上部には、（チ）で示す如く現在時刻が表示される。
【００３２】
キャッシュ再生状態においては、キー入力部１２を介して早送り又は巻戻しの指示を行うことにより、（ロ）で示される番組信号の現在の再生箇所よりも時間的に先のシーンや、後のシーンを簡単に呼び出すことができる。図５はキャッシュ早送り再生状態で画面上に表示されるオンスクリーン情報を示す図であり、図４で示す再生位置マーク（ロ）に代わり早送り位置マーク（ヌ）がバー上に表示される。一方、キャッシュ巻戻し再生状態においては、この早送り位置マーク（ヌ）と左右対象のマークである巻戻し位置マークが使用される。
【００３３】
そして、図５で示すキャッシュ早送り再生状態を継続すると、早送り位置マーク（ヌ）が記録位置マーク（ヘ）に近づいていくが、記録媒体４からの番組信号の再生箇所が放送中の番組信号の箇所まで追いついた時点で、画面表示は、図３で示したキャッシュＯＮ時の画面表示へと切り替えられる。
【００３４】
なお、以上のキャッシュ再生、キャッシュ早送り再生、キャッシュ巻戻し再生は、（ト）で示すバーの色が反転表示されている期間のみで行うことができ、これ以外の期間に対しては、これらの再生が行えないことは言うまでもない。
【００３５】
また、キャッシュＯＮ状態においては、巻戻しの指示を行うことなく、頭出しの指示をキー入力部１２にて行うことにより、時刻の区切れを瞬時に探し出して、その区切れ部分から再生を行うことができる。例えば、図３に示す例では、現在時刻が１２時００分から１２時３０分の間であり、頭出しの指示を行うと、現在時刻から過去にさかのぼった時の最初の００分又は３０分である時刻が１２時００分であるため、１２時００分に記録した番組信号の再生が開始される。
【００３６】
また、頭出し指示を続けてもう一度行うと、次の００分又は３０分である時刻は１１時３０分であるため、１１時３０分に記録した番組信号の再生が開始され、更にもう一度続けて頭出し指示を行うと、次の００分又は３０分である時刻は１１時であるが、１１時００分に記録した番組信号は存在しないため、キャッシュの先頭部分の番組信号の再生が開始される。
【００３７】
つまり、頭出し指示を行った場合は、現在時刻から過去にさかのぼった時の最初の００分又は３０分である時刻に記録した番組信号の再生を行うが、この時刻に記録した番組信号が存在しない場合には、キャッシュの先頭部分の番組信号の再生を行う。
【００３８】
以上の動作を実行するために、システムコントローラ９は、キー入力部１２にて頭出し指示が行われた時点で、システム時計１０が出力している現在時刻情報を取得する。そして、この取得した現在時刻情報における分の単位の情報が００又は３０の値となるまで、この時刻情報の値をさかのぼらせ、００又は３０の値となった際の時刻情報を再生時刻情報としてメディアマネージャ３に出力する。そして、メディアマネージャ３は、この再生時刻情報と、記録媒体４から再生した番組関連情報に基づき再生すべき番組信号の再生アドレスを決定し、再生時刻情報に対応した番組信号の再生を開始する。
【００３９】
また、この頭出し操作は、図４に示すキャッシュ再生時も有効である。そして、頭出し指示に正方向頭出し指示と逆方向頭出し指示とを設けた場合、図４に示す例で、逆方向頭出し指示でキャッシュの先頭部分の番組信号の再生を開始させ、正方向頭出し指示で１２時００分に記録した番組信号の再生を開始させることができる。また、図４に示す例で、正方向頭出し指示を２回行うことにより、キャッシュ再生状態を解除できるようにしても良い。なお、その際は、画面表示は、図３で示す表示となる。
【００４０】
次に、番組を記録媒体４に記録すると共に、記録媒体４に記録されているこの番組の所望の箇所から再生を行うタイムシフト再生の動作について説明する。なお、このタイムシフト再生では、先に説明したキャッシュ動作とは異なり、記録をしている番組が記録媒体４上から自動的に削除されることはない。
【００４１】
記録信号処理部１にて圧縮処理した番組信号を記録媒体４で記録している状態において、使用者が頭出し指示を行うと、その時点でタイムシフト再生が開始される。そして、メディアマネージャ３は、先に説明したキャッシュ再生時と同様に、記録コントローラ２からの番組信号を記録媒体４に記録する動作と、記録媒体４から再生される番組信号を再生コントローラに出力する動作とを高速で切り替えて時分割処理することになる。
【００４２】
なお、番組信号を記録媒体４で記録している状態で使用者が頭出し指示を行った場合には、先に説明したキャッシュＯＮ状態あるいはキャッシュ再生状態とは異なり、番組信号の先頭部分から再生が開始される。また、このタイムシフト再生中に頭出し指示を行った場合も同様に、番組信号の先頭部分から再生が開始される。
【００４３】
図６は、タイムシフト再生状態で画面上に表示されるオンスクリーン情報を示す図であり、図４で示したキャッシュ再生時に使用される時刻を目盛としたバー（ホ）、再生位置マーク（ロ）、録画位置マーク（ヘ）、再生を行っている番組信号の記録時の時刻（リ）、現在時刻（チ）の情報は、タイムシフト再生時であっても同様に表示される。また、番組信号が記録されている期間を示す表示（ト）は、タイムシフト再生時でも同様に表示されるが、キャッシュ再生時のように所定時間分番組信号を保持するという設定がないため、録画の進行に伴いこの表示が長くなる点のみ異なる。
【００４４】
また、以上のように番組先頭から再生を開始しなくても、番組信号の記録中に巻戻しの指示を行うことで番組途中からタイムシフト再生を開始させることもできる。そして、巻戻し指示を行った場合には、先に説明した巻戻し位置マークが再生位置マーク（ロ）に代わり表示され、早送り指示を行った場合には、先に説明した早送り位置マークが再生位置マーク（ロ）に代わり表示される。
【００４５】
なお、以上の説明では、入来する番組信号を記録信号処理部１で圧縮処理して記録コントローラ２に出力した例を示したが、例えば、ＭＰＥＧ方式で圧縮された番組信号が送信され、これを受信して記録する場合には、記録信号処理部１を介さずに、受信した番組信号を直接記録コントローラ２に供給すれば良いことは言うまでもない。
【００４６】
そして、ＭＰＥＧ方式で圧縮された番組信号上に、この番組信号放送時の時刻情報が既に重畳されている場合には、記録コントローラ２は、システム時計１０が出力した現在時刻情報をこの番組信号に付加する必要はなく、再生コントローラ５は、この番組信号が再生された際に番組放送時の時刻情報を抽出することになる。
【００４７】
次に、ＥＰＧ（Ｅｌｅｃｔｒｉｃ  Ｐｒｏｇｒａｍ  Ｇｕｉｄｅ）等の番組ガイド情報が重畳されているＭＰＥＧ方式の番組信号が記録コントローラ２に供給され、これを記録媒体４上に記録し、再生する際の動作を説明する。その際は、番組信号は、先の説明と同様に記録再生されるが、この番組信号と共に、番組ガイド情報も記録媒体４に記録され、再生される。なお、番組ガイド情報は、この番組信号の記録時に記録コントローラ２で抽出することも、また、この番組信号の再生時に再生コントローラ５で抽出することも可能に構成されているものとする。
【００４８】
図７は、番組ガイド情報が重畳される番組信号を受信し、キャッシュＯＮ状態とした際に画面上に表示されるオンスクリーン情報を示す図であり、時刻を目盛としたバー（ホ）、録画位置マーク（ヘ）、キャッシュ中の番組の期間の反転表示（ト）、現在時刻（チ）に加え、キャッシュ中の番組の番組名（ル）が表示される。
【００４９】
従って、使用者は、この画面を見ながら頭出し指示を１回行うことによりニュースを番組の先頭から再生させることができ、また、２回行った場合には、料理番組を番組の先頭から再生させることができる。
【００５０】
また、このようにキャッシュ中の番組の番組名（ル）を表示するために、記録コントローラ２は、番組ガイド情報を抽出するとこれをシステムコントローラ９に出力し、システムコントローラ９がこの番組ガイド情報を表示コントローラ８に伝え、ＯＳＤ処理部７における処理が行われる。
【００５１】
そして、ＭＰＥＧ方式で圧縮された番組信号上に、この番組信号放送時の時刻情報が既に重畳されている場合には、記録コントローラ２は、重畳されている時刻情報を番組信号と共に出力するため、システム時計１０が出力した現在時刻情報を必ずしもこの番組信号に付加する必要はない。そして、番組信号と共に記録される時刻情報は、番組信号と共に再生され、再生コントローラ５は、この番組信号が再生された際に番組放送時刻を示す時刻情報を抽出することになる。
【００５２】
また、以上の説明では、キャッシュ再生状態であっても、タイムシフト再生状態であっても、番組信号が記録されている期間を示す表示（ト）は同一であったが、例えば、キャッシュ再生状態ではこの表示を青色にして、タイムシフト再生状態ではこの表示を赤色にすることにより、キャッシュ再生状態とタイムシフト再生状態とを画面上で識別することが可能となる。
【００５３】
【発明の効果】
本発明によれば、番組の頭出し指示をすることにより、記録媒体上に記録されている番組信号の記録時の時刻における００分あるいは３０分の箇所が再生されるため、キャッシュ再生を行っている際でも番組の先頭部分を素早く再生でき、非常に使い勝手が良い。
【００５４】
【図面の簡単な説明】
【図１】本発明に係る番組信号記録再生装置の構成を説明するための図である。
【図２】通常再生時の画面表示を示す図である。
【図３】キャッシュＯＮ時の画面表示を示す図である。
【図４】キャッシュ再生時の画面表示を示す図である。
【図５】キャッシュ早送り再生時の画面表示を示す図である。
【図６】タイムシフト再生時の画面表示を示す図である。
【図７】キャッシュＯＮ時（番組ガイド情報付番組信号を受信中）の画面表示を示す図である。
【符号の説明】
１…記録信号処理部
２…記録コントローラ
３…メディアマネージャ
４…記録媒体
５…再生コントローラ
６…再生信号処理部
７…ＯＳＤ処理部
８…表示コントローラ
９…システムコントローラ
１０…システム時計
１１…記録予約マネージャ
１２…キー入力部
【図１】
0003591443.tif 000002
【図２】
0003591443.tif 000003
【図３】
0003591443.tif 000004
【図４】
0003591443.tif 000005
【図５】
0003591443.tif 000006
【図６】
0003591443.tif 000007
【図７】
0003591443.tif 000008